(57)【特許請求の範囲】
【請求項１】
コンクリート天井スラブの下面に、表面に断熱層が設けられた凹部を形成し、この凹部を金属板からなる天井パネルで閉じてスラブダクトを形成し、前記金属板からなる天井パネルには、前記スラブダクトを流れる空調空気との熱移動を促進させる細かい凹凸部を設け、前記スラブダクトを流れる空調空気を天井表層部を通して前記空調機にリターンさせるための付着噴流吹出し口を前記天井パネルに設けた構成を特徴とする放射式空調機。
【発明の詳細な説明】
【０００１】
【産業上の利用分野】
本発明は、集合住宅や老人ホーム等の居室冷暖房のための放射式空調装置に関するものである。
【０００２】
【従来の技術】
放射式空調装置の一例として、特開平５−１４１７１８号公開公報に開示されたものがある。これは図１９，図２０に示すように在来工法の天井に組込まれたパネルユニットボックス１３内に冷風または温風を吹込み、天井板１４と熱交換させて、ベーン機構１５付きの吹出し口１６より吹出す。吹出し空気はベーン機構１５により風向き可変であり、天井表面１７に沿う方向に吹出すと、対流伝熱効果により、天井面が一層冷却（加熱）され、放射効果が増大する。吹出し後の空気は、室内熱負荷処理後、空調機にリターンされる。
【０００３】
前記の放射式空調装置では、室内１８が高熱負荷時には、空気が吹出し口１６より真下方向に吹出し、強制対流空調に切換えるため、この際に、天井表面１７に沿う空気流がなくなり、天井表面温度が上昇するため、放射効果が減少する。また、同時に空気流による結露抑制効果がなくなるため、天井表面温度が低下していると、室内下部空気が対流により天井面に接した際に、表面結露を起こし易い。
【０００４】
さらに、在来天井にパネルユニットボックス１３および、天井内ダクト１９を設置して行うため、天井内スペースが大、材料費、施工費が大という欠点があり、一般に普及しにくい。また、リニュアル時に天井内ダクト１９やボックス１３の移設が必要となり、コスト高となる。
【０００５】
【発明が解決しようとする課題】
従来の放射空調装置は前述の欠点があったので、本発明はこれらの欠点を改良し、材料費、施工費が安価、構造簡単、工期短縮、安定した冷暖房効果等が得られる放射式空調方法及び装置を提供することを目的とする。
【０００８】
本発明に係る放射式空調装置は、コンクリート天井スラブの下面に、表面に断熱層が設けられた凹部を形成し、この凹部を金属板からなる天井パネルで閉じてスラブダクトを形成し、前記金属板からなる天井パネルには、前記スラブダクトを流れる空調空気との熱移動を促進させる細かい凹凸部を設け、前記スラブダクトを流れる空調空気を天井表層部を通して前記空調機にリターンさせるための付着噴流吹出し口を前記天井パネルに設けた構成を特徴とする。
【００１０】
【作用】
本発明によると、コンクリート天井スラブ１により天井部に形成され、表面に断熱層２２が設けられた凹部２を、金属板からなる天井パネル７で閉じることで空調空気流路であるスラブダクト３が形成され、このスラブダクト３からなる空調空気流路が建物躯体と一体化して形成されるので、従来のような内装天井等、躯体の施工とは別の空調のための付加的で、かつ複雑な施工が不要であると共に、スラブダクト３から吹出される空調空気が天井表層部５を流れることにより天井表面６に付着噴流が形成されて、当該天井表面６の結露が抑制され、天井表面温度の低下による安定した放射が行われる。
【００１１】
【実施例】
以下本発明の実施例を図を参照して説明する。
【００１２】
図１〜図４は本実施例の放射式空調装置に用いられる低コスト放射天井の、４つの具体例を示す断面説明図である。
【００１３】
図１に示される第１例の放射天井２０では、コンクリート天井スラブ１の下面（室内側表面）は捨て型枠であるデッキプレート２３により凹凸状部２１が形成されており、この凹凸状部２１の表面にウレタン吹付け（厚さ約２０ｍｍ）、または発泡スチロール成型板（厚さ約２０ｍｍ）からなる断熱層２２が形成されていて、所定間隔に設けられるコンクリート釘２４が断熱層２２を貫通してコンクリート天井スラブ１に打込まれている。
【００１４】
前記凹凸部を有するデッキプレート２３のうち凸部２３ａの下面に上面を当てがうようにして薄鋼板または、アルミパネルからなる天井パネル７を取付け、この天井パネル７によってデッキプレート２３の凹部２３ｂの開口部を閉じることにより、その内部に空調空気が流れるスラブダクト３が形成される。天井パネル７は、その下側から断熱層２２を貫通してコンクリート天井スラブ１の凸部１ａに打込むことにより天井面下部に取付けられる。
【００１５】
前記天井パネル７を構成する薄鋼板またはアルミパネルはフラットなパネルでもよいが、図５に示されてるようにこれに細かい凹凸部８を形成して表面積を増大し、それによりスラブダクト３を流れる空調空気との熱交換がより効率的に行なえるように構成してもよい。
【００１６】
図２に示される第２例の放射天井２０ａでは、コンクリート天井スラブ１の下面に、コンクリート打設時に型枠（図示せず）を用いることにより、所定の間隔をおいて略半円状の凹部２５を形成し、この凹部２５および、凹部２５の間に位置する突出部２６を含むコンクリート天井スラブ１の表面にウレタン吹付け（厚み約２０ｍｍ）または、発泡スチロール成型板（厚み約２０ｍｍ）からなる断熱層２２を形成し、前記凹部２５において半円状の硬質塩ビ管（ＶＵ１００）の半割管で構成された半割管体２７を当てがい、さらに、コンクリート天井スラブ１の凹凸部のうち突出部２６に側面を当てがうようにして薄鋼板または、アルミパネルからなる天井パネル７を取付け、この天井パネル７によって半割管体２７の開口部を閉じることにより、その内部に空調空気が流れるスラブダクト３が形成される。
【００１７】
この第２例の放射天井２０ａに用いられる天井パネル７は第１例の天井パネル７と同じ材料でよく、その側面はフラットでもよいし、細かい凹凸部が付形されていてもいずれでもよい。また、半割管体２７は、その底部を貫いてコンクリート天井スラブ１にコンクリート釘２４を打込むことにより、当該コンクリート天井スラブ１に取付けられ、同じく天井パネル７はこれを貫いてコンクリート釘２４をコンクリート天井スラブ１に打込むことにより天井下面に取付けられる。
【００１８】
図３に示される第３例の放射天井２０ｂでは、コンクリート天井スラブ１の下面に所定の厚みを有するスタイロフォームを用いた断熱層２２が形成され、この断熱層２２の下面にデッキプレート２３の凹部２３ｂの底を当てがい、この凹部２３ｂと断熱層２２を貫通してコンクリート釘２４を打込むことにより、デッキプレート２３がコンクリート天井スラブ１に取付けられる。さらに、このデッキプレート２３の下向きに突出した凸部２３ａの上面を当てがうようにして薄鋼またはアルミパネルからなる天井パネル７を配置し、下方から取付ネジ２８を前記凸部２３ａにネジ込むことにより、天井パネル７がデッキプレート２３に固定される。
【００１９】
そして、第３例の放射天井２０ｂでは、デッキプレート２３の凸部２３ａと断熱層２２との間に空調用空気の流れる第１の（例えばサプライ用の）ダクト３ａが形成され、デッキプレート２３の凹部を閉じる天井パネル７によって第２の（例えばリターン用の）ダクト３ｂが形成されるもので、その一方を空調用空気の行きのダクトとし、他方をリターン用のダクトとして分けて使用できる。
【００２０】
図４に示される第４例の放射天井２０ｃでは、コンクリート天井スラブ１の下面にハニカム状天井仕上げ材３０を取付けることで、天井部にスラブダクト３が形成される。ハニカム状天井仕上げ材３０は所定の間隔離して平行に配設される上面板３１と下面板（これが天井パネルとなる）３２の間に骨組みとして傾斜補強板３３を介装して構成され、前記上面板３１をコンクリート天井スラブ１の下面に当てがい、上下面３１，３２を貫いて下方からコンクリート釘２４をコンクリート天井スラブ１に打込むことにより、ハニカム状天井仕上げ材３０はコンクリート天井スラブ１に取付けられる。また、ハニカム状天井仕上げ材３０には、その傾斜補強板３３で仕切られる両側に形成される空間に加熱（冷却）空気供給流路であるサプライスラブダクト３ａと帰還空気流路であるリターンスラブダクト３ｂとが形成される。また、この第４例の放射天井２０ｃでは、ハニカム状天井仕上げ材３０の上面板３１と、コンクリート天井スラブ１の下面との間に断熱材は不要である。
【００２１】
上記では、本実施例の放射空調装置に用いられる放射天井の４つの具体例を挙げて示した。つぎに、前記放射天井を構成要素とする放射式空調装置の実施例を図５〜図１８を参照して説明する。
【００２２】
まず、図５〜図８において、１方向性のコンクリート天井スラブ１（ここで１方向性とは、図８のように複数のサプライスラブダクト３ａとリターンスラブダクト３ｂが同一の方向に並列している態様をいう）の室内側表面は、捨て型枠であるデッキプレート２３を用いて凸凹状に構成されており、この凸凹状の表面に沿って例えばウレタンを吹き付けてなる断熱層２２を形成したうえ、この断熱層２２とデッキプレート２３を貫通してコンクリート釘２４がコンクリート天井スラブ１に打込まれている。前記デッキプレート２３には、コンクリート釘２４を用いて薄鋼板やアルミパネル等の金属板からなる天井パネル７が取付けられて凹部２５の下向きの開口部が閉じられ、その内側がスラブダクト３とされている。この天井パネル７の少なくとも凹部２５に面する部位で、かつその裏面側には細かい凸凹部８が形成されていて、冷房時にスラブダクト３内へ室内側からの熱移動促進させる構成とされている。また、この天井パネル７は、天井面の全体を覆っており、室内面は高放射率の塗料またはクロスで仕上げられて放射天井２０が構成される。
【００２３】
前記スラブダクト３は、図８に平面で示される図から分るとおり複数列平行に配列され、かつ各スラブダクト３は一列おきに空調空気のサプライ用のスラブダクト３ａとリターン用のスラブダクト３ｂとに分かれていて、サプライダクト３ａの基端（各図で右端）は、図６に示されるように室内上部において躯体３４の側壁３５に２台横に並べて設けられる第１空調機Ａと第２空調機Ｂのうちの第１空調機Ａの吹出し口３６と連通している。（なお、図６では第１と第２の空調機Ａ，Ｂが上下に位置して示されているが、これは変則的図示であって実際は図７のように横に並設される。）また、サプライ用のスラブダクト３ａの先端（各図で左端）には、図６のように前記サプライダクト３ａ内を流れる空調空気の付着噴流吹出し口４が設けられている。
【００２４】
室内１８が比較的狭い場合は付着噴流吹出し口４はサプライ用のスラブダクト３ａの先端に設けるだけでよいが、室内１８が広い場合は、図６のようにサプライ用のスラブダクト３ａの中間部にも付着噴流吹出し口４ａが設けられ、これにより天井面を流れる空調空気の勢が低下せず、拡散しないように設けられている。この中間部の付着噴流吹出し口４ａは、先端の付着噴流吹出し口４と同風量が得られる構造（開口面積で調整）とされている。
【００２５】
また、室内１８が比較的狭く、スラブダクト３が短い場合は、全てのスラブダクト３をサプライスラブダクト３ａとして使用し、スラブダクト先端から吹出す空調空気はすべて天井表層部５を通してレターンさせることもある。
【００２６】
前記の各付着噴流吹出し口４，４ａには水平方向に空気を送り出す水平方向ガイド３７と防風板３８が設けられていて、この吹出し口４，４ａから吹出された付着噴流が、ドラフトを生じないで、かつ天井面全体を覆って円滑に流れるように構成されている。また、付着噴流吹出し口４，４ａの結露を防止するため、水平方向ガイド３７の材質は断熱性あるものとし、表面に断熱性テープを貼付ける等表面処理にも留意するのが望ましい。
【００２７】
第１空調機Ａは吹出し口３６とは別に吸込み口３９を有し、かつ付着噴流を形成するうえで必要な風速を確保できる送風機４０を備えている。また、前記吹出し口３６は１列おきに配設されるサプライ用の各スラブダクト３ａに均等の風量が分配されるように設けられている。
【００２８】
したがって、第１空調機Ａの吹出し口３６から出た空調空気はサプライ用のスラブダクト３ａを流れ、このとき天井パネル７から伝わる室内の熱を奪って室内を冷却し、付着噴流吹出し口４，４ａから吹出され天井面全体に沿って流れ、吸込み口３９から再び吸込まれて、この循環を繰返し、室内１８の冷房を行なう。このとき、天井表面は前記付着噴流により結露が生じず安定した熱交換が行なわれる。
【００２９】
また、図６，図８に示されるようにリターン用のスラブダクト３ｂの先端部と中間部及び、基端部には空調空気の吸込み口４１，４１ａ，４２が設けられている。この３つの吸込み口４１，４１ａ，４２は、付着噴流の形成を促進するため、サプライ用ダクト３ａの２つの吹出し口４，４ａと同じ風量が得られる構造とされている。したがって、サプライ用のスラブダクト３ａの先端の付着噴流吹出し口４から出た空調空気の一部は天井表層部５を流れ、他の一部はリターン用のスラブダクト３ｂの先端と中間の各吸込み口４１，４１ａのいずれかに吸込まれて当該リターン用スラブダクト３ｂ内を流れる。また、サプライ用スラブダクト３ａの中間の付着噴流吹出し口４ａから出た空調空気の一部は天井表層部５を流れ、他の一部はリターン用スラブダクト３ｂ内を流れる。
【００３０】
前述のように複数列のスラブダクト３をサプライ用のスラブダクト３ａとリターン用のスラブダクト３ｂとに分け、かつサプライ用スラブダクト３ａの付着噴流吹出し口４，４ａから室内側に吹出した空調空気の一部を前記リターン用スラブダクト３ｂを通して流すのは、天井面から付着噴流がはがれて、下方に落下しにくくするため及び、リターン用スラブダクト３ｂを通すことによりドラフトをなくし、スムーズな空調空気の循環を促進できて効率的な空調を行ない、さらに室内１８において空調空気の対流を少なくすることにより、快適性を向上するうえで好ましいからである。
【００３１】
なお、天井表層部５を流れる空調空気と、リターン用のスラブダクト３ｂ内を流れる空気はその基端（図８で右端）の吸込み口３９（４２）を通って第１空調機Ａ内に戻され、吹出し口３６から再び吹出されて循環する。
【００３２】
また、第１空調機Ａに設けられる冷却（加熱）コイル４４と再熱コイル（廃熱利用）４３は、天井近傍の温度と湿度の制御を行なう。つまり冷房時は、各コイルによる取込空気の冷却による空気中の水蒸気の凝縮（除湿）と、冷却空気の乾球温度調節による、天井面の露点温度制御により、天井面結露を防止し、特に立上げ時には除湿しながら徐々に温度を下げるように作動させることにより、結露を抑制する。
【００３３】
第２空調機Ｂは、空調空気の吹出し口４５と吸込み口４６と送風機４７とルーバー４８と冷却（加熱）コイル４９と再熱コイル（廃熱利用）５０とを有し、さらに躯体３４の側壁３５を内外に貫通して設けられた通孔５１により外気を取込むようになっている。
【００３４】
前記送風機４７は除湿機として機能する時は低風量であり、強制対流空調機としての機能時は一般風量になるよう切替え可能に構成されている。ルーバー４８は強制対流空調機としての機能時に作動させ、図６の矢印で示す下向きの範囲で空気吹出しの角度を可変できるものである。また、除湿リターンチャンバー５２には前記通孔５１を通して常時新鮮外気（約３０ｍ3 ／ｈ）を導入し、衛生面を維持すると共に、室内３８を僅かに正圧に保つことにより隙間風の侵入を極力抑え、結露を防止するように構成されている。直膨コイル４９と再熱コイル（廃熱利用）５０の機能は第１空調機Ａの各コイルと同じである。
【００３５】
前述のように第２空調機Ｂは、屋外機コンプレッサー廃熱利用再熱方式の除湿機と、風量およびコイル列数切替により強制対流式空調機を兼用するものである。
【００３６】
第１実施例において、室内空調時には第１空調機Ａと第２空調機Ｂの併用により、室内の空調条件に応じて強制対流と放射の比率を０％〜１００％の範囲で可変でき、常時最適な空調条件を満たしながら空調を行なうことができる。つまり、立上げ時および高負荷時は、スラブダクト３内と室内１８側とで温度差が大きく、結露が生じやすいので、強制対流が好ましい。この場合、仮りに第１空調機Ａが１台のみでは前記の目的を十分に達成できないのであるが、前述のとおり本実施例では第２空調機Ｂを備えているので、この立上り時と高負荷時は第２空調機Ｂを強制対流空調機として作動させることで前記の目的を容易に達成できる。なお、このとき、ルーバー４８の角度を適正に選択して空調空気の室内１８への吹出し方向を調整する。
【００３７】
また、室内の快適性を考えるとき、室内１８はできるだけ自然対流のみが望ましく、放射式空調が選択される理由の一つがここにある。このような観点から本実施例では放射冷房時（つまり、定常時と低負荷時）は第２空調機Ｂは低速運転することで、自然対流に近い状態で空調空気を流し除湿機として機能させている。また、前述のようにリターンチャンバ５２には通孔５１を通して常時新鮮外気（約３０ｍ3 ／ｈ）を導入することで室内１８の衛生面を維持すると共に、室内を僅かに正圧に保つことにより隙間風の侵入を極力抑え、かつ結露を防止している。
【００３８】
図９〜図１０は本発明の第２実施例を示す図であって、この第２実施例では、サプライ用のスラブダクト３ａの先端（図１０の左端）の付着噴流吹出し口４にガイドとして支軸５３に回動板５４を枢支してなる可動式ダンパ５５が設けられていて、空調の立上げ時および高負荷時には、第１空調機Ａを用いての強制対流冷暖房が可能となっており、この構成が第１実施例と異なっている。また、この場合は第２空調機Ｂは第１実施例の場合と使用状態が異なり、除湿専用機として機能させている。それに対応し吹出しルーバー４８は固定式とされ、放射冷房時には室内に無用の強制対流を起こさないように構成されている。その他の構成は第１実施例と同じである。
【００３９】
第２実施例では、立上げ時および高負荷時には、回動板５４の切替により付着噴流分の空調空気を室内１８下方に向けて吹出し、強制対流冷暖房を行う。また、定常時および低負荷時は回動板５４を起こし、付着噴流を天井表層部５に形成し、第１実施例と同様に空調を行なう。
【００４０】
図１１，図１２は本発明の第３の実施例を示す図である。この第３実施例ではサプライ用のスラブダクト３ａの先端（図１３で左端）に設けられている可動式のダンパ５６の切替えにより、付着噴流分の空調空気の一部を前記サプライ用ダクト３ａと連通する間仕切り壁５７内の垂直ダクト５９に通気し、壁表面を冷却（加熱）後に壁下部の吹出し口５８より吹出し、強制対流冷暖房を行なうものである。
【００４１】
この第３実施例では、第１空調機Ａが、天井及び壁放射・強制対流兼用機として機能しており、第２空調機Ｂは除湿専用機として機能させている。なお、他の構造は第１実施例と同じである。
【００４２】
図１３〜図１５は本発明の第４実施例を示す図であって、本実施例では、スラブダクト３を構成するボックス形プレハブ天井６０がコンクリート天井スラブ１の下面に取付けられた例が示されている。ボックス型プレハブ天井６０を構成する天板６１と両側板６２は、コンクリート天井スラブ１の嵌め殺し型枠を兼用する鋼板製であって、この天板６１と両側板６２の内側には予め天井において電気配線ケーブル（図示せず）や内貼り断熱層２２を施しておくものであり、さらに天板６１と両側板６２で囲まれる内部を閉じるように薄鋼製の天井パネル７ａが配設される。この天井パネル７ａの裏面には冷暖房時の天井内への熱移動を促進するための凹凸部８が設けられている。この凹凸部８を設けることで天井パネル７の剛性も向上する。
【００４３】
天板６１と天井パネル７ａとの間には補強筋６４が配設され、また、所定の間隔をおいて第１と第２の仕切壁６３，６３ａが設けられている。この第１，第２仕切壁６３，６３ａは、天板６１と両側板６２と天井パネル７ａとにより囲まれて形成される天井内に空調空気のサプライ用天井ダクト３ａとリターン用天井ダクト３ｂを形成し、天井面の均一な冷却（加熱）を行なう。また、この第１，第２仕切壁６３，６３ａは天井ボックスの強度を確保するための構造耐力部材としても機能するものである。なお、図において、６５はボックス型プレハブ天井６０を施工する際に天井パネル７ａを支えるジャッキであって、天井施工後はこのジャッキ６５は取外される。
【００４４】
本実施例の他の構成は第１実施例と同様である。したがって、本実施例では、第１の空調機Ａは天井放射専用機として、第２の空調機Ｂは、除湿及び強制対流兼用機としてそれぞれ機能し、第１と第２の空調機Ａ，Ｂを相互に作動させ、図１５に示す流路に沿ってボックス型プレハブ天井６０内に空調空気を流すことにより室内の効率的な冷房（暖房）が行なわれる。本実施例に特有のメリットとしては、ボックス型プレハブ天井６０を構成する天板６１と両側板６２が天井スラブ型枠を兼用していることであり、それにより、鋼板製天井板の現場施工を軽減し、省力化のメリットを得ること、また、天井廻りの機器類や断熱材、電気配線ケーブル等を極力工場段階で天井ボックス内に先付けし、現場施工の省力化を図ることである。
【００４５】
図１６〜図１８は本発明の第５実施例を示す図であって、この第５実施例では第４実施例で示すボックス型プレハブ天井６０内の第２の仕切壁６３ａがなく第１の仕切壁６３のみであり、それに伴って図１７，図１８のようにスラブダクト３内をサプライ空調空気が流れ、かつ第１と第２の実施例と同様にダクト先端の天井面付着噴流吹出し口４を固定式または可動式とし、その吹出し口４から吹出した空調空気を天井表層部５を通して第１空調機Ａに戻しており、この構成が第４実施例と相異し、その他の構成は第４実施例と同じである。なお、本実施例では第１空調機Ａを天井放射専用機とし、かつ第２空調機Ｂを除湿・強制対流兼用機として機能させる方式、又は、第１空調機Ａを天井放射・強制対流兼用機とし、かつ第２空調機Ｂを除湿専用機としてそれぞれ機能させる方式のいずれを採用しても構わない。
【００４６】
【発明の効果】
以上説明したように、本発明はコンクリート天井スラブ１に形成される凹部２の下側開口面を天井パネル７で閉じることにより、前記凹部２内を空調空気の流路であるスラブダクト３に構成して、このスラブダクト３を流れる空調空気により、放射式空調を行なうものであって、前記スラブダクト３を建物躯体と一体化でき、よって従来のように建物と別にパネルユニットボックスを構成し、これを既に施工が終った天井面に組込む方式の放射式空調装置に比べて、構造が簡潔で施工コストを著しく低減できると共に、工期を短縮化でき、かつスペース的にも有利であり、さらに天井面は天井パネルで一様に被われることになり意匠的外観もすぐれているものである。さらに、スラブダクト３を流れた空調空気は付着噴流吹出し口４、４ａから天井表層部５に向けて吹出されるので、天井表面６に結露が生じず、安定した冷暖房効果が得られる。
【図面の簡単な説明】
【図１】本発明で実施する放射天井の第１例の断面図である。
【図２】同じく第２例の放射天井の断面図である。
【図３】同じく第３例の放射天井の断面図である。
【図４】同じく第４例の放射天井の断面図である。
【図５】図６のＣ−Ｃ線断面図である。
【図６】第１実施例に係る放射空調装置の縦断面説明図である。
【図７】図６のＤ−Ｄ線方向に見た断面説明図である。
【図８】図６の平面説明図である。
【図９】図１０のＥ−Ｅ線断面図である。
【図１０】第２実施例に係る放射式空調装置の縦断面説明図である。
【図１１】図１２のＦ−Ｆ線に沿う断面説明図である。
【図１２】第３実施例に係る放射式空調装置の縦断面説明図である。
【図１３】図１４のＧ−Ｇ線に沿う位置でのボックス形プレハブ天井の施工時の断面説明図である。
【図１４】第４実施例に係る放射式空調装置の縦断面説明図である。
【図１５】図１４の平面説明図である。
【図１６】図１７のＨ−Ｈ線に沿う位置でのボックス形プレハブ天井の施工時の断面説明図である。
【図１７】第５実施例に係る放射式空調装置の縦断面説明図である。
【図１８】図１７の平面説明図である。
【図１９】従来のパネルユニットボックス形の放射式空調装置の断面図である。
【図２０】図１９の放射式空調装置と、これが組込まれた室内の断面図である。
【符号の説明】
１  コンクリート天井スラブ
２  凹部
３  スラブダクト
４  空気吹出し口
５  天井表層部
６  天井表面
７  天井パネル
７ａ  天井パネル
８  細かい凹凸部
１３  パネルユニットボックス
１４  天井板
１５  ベーン機構
１６  吹出し口
１７  天井表面
１８  室内
１９  天井内ダクト
２０  放射天井
２１  凹凸状部
２２  断熱層
２３  デッキプレート（捨て型枠）
２４  コンクリート釘
２６  突出部
２７  半割管体
２８  取付ネジ
３０  ハニカム状天井仕上げ材
３１  上面板
３２  下面板
３３  傾斜補強板
３４  躯体
３５  側壁
３６  吹出し口
３７  水平方向ガイド
３８  防風板
３９  吸込み口
４０  送風機
４１  吸込み口
４２  吸込み口
４３  再熱コイル
４４  冷却（加熱）コイル
４５  吹出し口
４６  吸込み口
４７  送風機
４８  ルーバー
４９  冷却（加熱）コイル
５０  再熱コイル
５１  通孔
５２  除湿リターンチャンバー
５３  支軸
５４  回動板
５５  可動式ダンパ
５６  可動式ダンパ
５７  間仕切り壁
５８  吹出し口
６０  ボックス形プレハブ天井
６１  天板
６２  両側板
６３  仕切壁
６４  補強筋
【図１】
0003540861.tif 000002
【図２】
0003540861.tif 000003
【図３】
0003540861.tif 000004
【図４】
0003540861.tif 000005
【図５】
0003540861.tif 000006
【図６】
0003540861.tif 000007
【図７】
0003540861.tif 000008
【図８】
0003540861.tif 000009
【図９】
0003540861.tif 000010
【図１０】
0003540861.tif 000011
【図１１】
0003540861.tif 000012
【図１２】
0003540861.tif 000013
【図１３】
0003540861.tif 000014
【図１４】
0003540861.tif 000015
【図１５】
0003540861.tif 000016
【図１６】
0003540861.tif 000017
【図１７】
0003540861.tif 000018
【図１８】
0003540861.tif 000019
【図１９】
0003540861.tif 000020
【図２０】
0003540861.tif 000021